(57)【特許請求の範囲】
【請求項１】
複数の木製の板材を一体的に接合してパネル状に形成し、断熱性、遮音性、吸湿性という木材特有の作用を発揮させつつ建造物の外壁、かつ、内壁の同時効用をなすようにした建造物の壁構造材であり、
前記壁構造材は、２枚の同一形状の木製板材を用いてこれら２枚の各板材の対向面相互を接着剤により接合して２重に形成した壁構造基材とするとともに、この壁構造基材を複数個用いて、各壁構造基材の相互の左右の各端面同士の夫々接合する端面を連結具により一体的に接合、連結してパネル状としたもの、又は薄状の多数枚の同一形状の木製板材を用いてこれら多数枚の各板材の夫々の対向面相互を接着剤により接合して多重層として合板状に形成してパネル状としたものであることを特徴とする建造物の壁構造材。
【請求項２】
複数の木製の板材を一体的に接合してパネル状に形成し、断熱性、遮音性、吸湿性という木材特有の作用を発揮させつつ建造物の外壁、かつ、内壁の同時効用をなすようにした建造物の壁構造材を使用した壁建造方法であり、
建造物の基礎部分上に、複数のパネル状の各壁構造材を立設して連結具により固定する工程と、
前記建造物の基礎の部分上に立設した前記各壁構造材の各々隣接し接合する左右端面相互を、連結具により連結して建造物の全体にわたる各壁面部を形成する工程と、
を含み、
前記各壁構造材は、複数の木製の板材を一体的に接合してパネル状に形成したものであるとともに、前記建造物の基礎の部分上に立設した各壁構造材の各々隣接し接合する各角部は、連結具としてＬ形金具を用いて各壁構造材相互が連結するようにしたものであることを特徴とする壁建造方法。
【発明の詳細な説明】
【発明の属する技術分野】
本発明は、建造物の新規な木製の壁構造材及び該壁構造材を使用した建造物の壁建造方法に関するものである。
【従来の技術】
従来、例えば住宅等の建造物を建造する方法の一例として、図１１に示すような２×４（ツーバイ）工法が知られている。
この２×４工法は、コンクリート基礎５０上に土台５１を固定し、この土台５１上に、２×４材５２を使用して壁の枠組みを組み立て、この枠組みの表裏に対し合板５３を張るとともに、内部に合成樹脂製の断熱材５４を充填し、合板５３の表面を仕上げて壁の施工を行うものである。
建造物の天井や屋根等についても上述した場合と同様である。
従来、上記した２×４工法の他、伝統的な所謂プラットフォーム工法（１階床、壁、２階床、壁、天井、屋根という順に組み立てる工法）、所謂バルーン工法（１階床、全体壁、２階床、天井、屋根という順に組み立てる工法）等も実施されている。
【発明が解決しようとする課題】
しかしながら、上述した例えば従来の２×４工法の場合には、多数の２×４材５２と合板５３及び断熱材５４とを使用し、多数の２×４材５２や合板５３を主に釘等の連結具で連結して壁等の施工を行うものであることから、構成材料が多く、施工期間が長くかかり、人件費も多くなって、建造コストを低廉化できないという課題がある。
また、多数の２×４材５２の接合部分等々の仕上がりは、作業者の熟練度によって異なり、このため、均質な建造物を提供することは困難であるという課題もある。
更に、合成樹脂製の断熱材５４を使用するものであるから、断熱性に優れるものの空気に対する吸湿性の点で問題があり、全体として必ずしも居住性がよいとは言えない。
そこで、本発明は、居住性の向上を図ることができる建造物の新規な木製の壁構造材及びこの壁構造材を使用し、構成材料が少なく、建造物の外壁、内壁の効用をなし、作業者の熟練度に左右されることなく誰でも施工できるとともに、施工期間の短縮及び人件費の低減が可能で、均質で建造コストの低廉化を実現できる建造物の壁建造方法を提供することを目的とするものである。
【課題を解決するための手段】
請求項１記載に係る建造物の壁構造材は、複数の木製の板材を一体的に接合してパネル状に形成し、断熱性、遮音性、吸湿性という木材特有の作用を発揮させつつ建造物の外壁、かつ、内壁の同時効用をなすようにした建造物の壁構造材であり、前記壁構造材は、２枚の同一形状の木製板材を用いてこれら２枚の各板材の対向面相互を接着剤により接合して２重に形成した壁構造基材とするとともに、この壁構造基材を複数個用いて、各壁構造基材の相互の左右の各端面同士の夫々接合する端面を連結具により一体的に接合、連結してパネル状としたもの、又は薄状の多数枚の同一形状の木製板材を用いてこれら多数枚の各板材の夫々の対向面相互を接着剤により接合して多重層として合板状に形成してパネル状としたものであることを特徴とするとするものである。
請求項１記載の建造物の壁構造材よれば、木材の断熱性、遮音性、吸湿性という特有の作用により、建造物の外壁、内壁の効用をなし、この壁構造材のみを使用して壁を建造した場合には居住性の一層の向上を図ることができる。
請求項２に係る建造物の壁構造材を使用した壁建造方法は、複数の木製の板材を一体的に接合してパネル状に形成し、断熱性、遮音性、吸湿性という木材特有の作用を発揮させつつ建造物の外壁、かつ、内壁の同時効用をなすようにした建造物の壁構造材を使用した壁建造方法であり、建造物の基礎部分上に、複数のパネル状の各壁構造材を立設して連結具により固定する工程と、前記建造物の基礎の部分上に立設した前記各壁構造材の各々隣接し接合する左右端面相互を、連結具により連結して建造物の全体にわたる各壁面部を形成する工程と、を含み、前記各壁構造材は、複数の木製の板材を一体的に接合してパネル状に形成したものであるとともに、前記建造物の基礎の部分上に立設した各壁構造材の各々隣接し接合する各角部は、連結具としてＬ形金具を用いて各壁構造材相互が連結するようにしたものであることを特徴とするものである。
請求項２記載の壁建造方法によれば、上述した居住性の向上を図れる壁構造材を使用して、全体として構成材料が少なく、建造物の外壁、内壁の効用をなし、施工期間の短縮及び人件費の低減が可能であり、均質で建造コストの低廉化を実現することが可能な前記壁構造材を使用した壁建造方法を提供できる。
【発明の実施の形態】
以下に、本発明の実施の形態を詳細に説明する。
図１乃至図４は、本実施の形態に係り後述する本発明の新規な壁構造材を用いた建造物の壁建造方法を工程順に示すものである。
本実施の形態の建造物１０の壁建造方法について順に説明する。
まず、図１、図１０に示すように、予め所定の形状に形成したコンクリート製の建物基礎１の上面に、夫々長尺状の各Ｌ型鋼材６０をボルト・ナット等の連結手段（図示せず）で固着立設し、該Ｌ型鋼材６０の角部に沿って後述する本発明の新規な木製の各一枚ずつのパネル状の壁構造材２Ａを、例えばクレーン等を利用して立設する。
壁構造材２Ａは、図示する各壁構造材２Ａが夫々各一枚物のパネル状となっている。
前記Ｌ型鋼材６０と壁構造材２Ａとは、壁構造材２Ａの下端部分で、ラグスクリューボルト６１又はアンカーボルト等の連結具により固定する。
図１０中の符号６２は、建造物１０の１階の床部を示すものである。
次に、図２に示すように、前記建物基礎１の両側部に沿って後述する本発明の新規な木製の各一枚ずつのパネル状の壁構造材２Ｂ、２Ｃを、例えばクレーン等を利用して前述の如く立設する。
壁構造材２Ｂ、２Ｃは、図示する各壁構造材２Ｂ、２Ｃが夫々各一枚物のパネル状となっている。
次に、図３に示すように、前記建物基礎１の前部に沿い、且つ、壁構造材２Ｂ、２Ｃの各前端面に接合する状態に各一枚ずつのパネル状の壁構造材２Ｄを、例えばクレーン等を利用して立設する。
壁構造材２Ｄは、図示する各壁構造材２Ｄが夫々各一枚物のパネル状となっている。
前記夫々の一枚物の壁構造材２Ａ、２Ｂ、２Ｃ、２Ｄの各々の左右端面相互は、図１、図２、図３及び後記図４には示していないが、例えば後記図６、図７、図８に示すように、平板の金具材６３を各壁構造材２Ａ、２Ｂ、２Ｃ、２Ｄの左右夫々の内側面（建造物の内面側）の例えば上方部分、下方部分の各２ケ所に配置して、当該各金具材６３の２つの穴にラグスクリューボルト６４等を締着して各壁構造材の各々の密接する左右端面相互を連結する。
前記各壁構造材の各々の左右端面相互を連結する手段としては、前記図６、図７、図８に示す手段の他、図９に示すように、各壁構造材２Ａ、２Ｂ、２Ｃ及び２Ｄの左右端面の例えば上方部分、下方部分の各２ケ所に、鋼材パイプ６５を装着可能な各横穴６６を予め設け、密接した壁構造材の各々の左右端面相互の当該各横穴６６内に、鋼材パイプ６５を装着した後、当該鋼材パイプ６５に設けた各小穴６８にスチール製のクサビ６９を壁構造材の上面側から打ち付けて、各壁構造材の各々の密接する左右端面相互を連結するようにしても良い。
この他、前記壁構造材２Ａ乃至２Ｄの各々の左右端面相互を連結するには、図６乃至図９の他、既存の各種の連結具、連結手段を適宜使用できることは勿論である。
更に、壁構造材２Ａと２Ｂ、２Ａと２Ｃ、２Ｂと２Ｄ、２Ｃと２Ｄとの各角部は、図１、図２、図３、図４に示すように、例えば図５のようなＬ形金具２３を、壁構造材２Ａと２Ｂ、２Ａと２Ｃ、２Ｂと２Ｄ、２Ｃと２Ｄとの各角部における各壁構造材相互に適当数配設して連結する。
図５は、前述したように、各壁構造材２Ａと２Ｂ、２Ａと２Ｃ、２Ｂと２Ｄ、２Ｃと２Ｄとの各角部を連結するための例えばＬ形金具２３を拡大して図示するものである。
この他、壁構造材２Ａと２Ｂ、２Ａと２Ｃ、２Ｂと２Ｄ、２Ｃと２Ｄとの各角部の連結には、既存の各種の連結具、連結手段を適宜使用できることは勿論である。
そして、図４に示すように、建造物基礎１上に相互に連結状態で固定された夫々の各壁構造材２Ａ乃至２Ｄの上部に、屋根部３を構築して建造物１０とするものである。
前記各壁構造材２Ａ、２Ｂ、２Ｃには、各々例えばサッシ窓取り付け用の開口部４ａ、４ｂ、４ｃが予め工場等において加工されている。
また、壁構造材２Ｄには、例えば玄関扉取り付け用の開口部５が予め予め工場等において加工されている。
上述した本発明の新規な木製の各壁構造材２Ａ乃至２Ｄは、各一枚ずつの壁構造材２Ａ乃至２Ｄが、例えば、図６に示すように、２枚の木製の同一形状の板材１１を用い、これら２枚の各板材１１の対向面相互を接着剤により接合して２重として形成した壁構造基材３０とするとともに、この壁構造基材３０を複数、例えば５個用いて、各壁構造基材３０の相互の左右の各端面同士を、各壁構造基材３０の夫々左右の各端面に設けた縦長状の溝部７０内に沿って、例えば木製の小片の連結材１２を装着、接合しつつ５個の各壁構造基材３０を一体化し、全体として一枚のパネル状としている。
この場合、一枚のパネル状の壁構造材を形成するのに用いる壁構造基材３０の数は、図示例の他、建造物１０の設計内容に応じて各種自在に設定できる。
前記各板材１１は必ずしも２枚の木製の同一形状である必要はなく、相互に異なる形状のものを用いても良い。
図６中の符号１９は、接着剤接合部を示すものである。
なお、前記一枚のパネル状として形成される各壁構造材２Ａ乃至２Ｄの寸法は、建造物１０の設計内容に応じて、その幅、高さ、厚さを各種自在に設定できる。
前記一枚のパネル状の壁構造材２Ａ乃至２Ｄは、図６に示す例の如く形成できる他、図７又は図８に示すように、薄状の多数枚の木製の同一形状の板材１１’を用い、これら多数枚の各板材１１’の夫々の対向面相互を接着剤により接合して多重層として合板状に形成して各一枚のパネル状の壁構造材を形成しても良い。
前記各板材１１’は必ずしも多数枚の木製の同一形状である必要はなく、相互に異なる厚さ、形状のものを用いても良い。
この場合、前記一枚のパネル状として形成される壁構造材２Ａ乃至２Ｄの寸法は、建造物１０の設計内容に応じて、その幅、高さ、厚さを各種自在に設定できる。
上述した本発明の新規な木製の各壁構造材によれば、木材の断熱性、遮音性及び吸湿性という特有の作用を利用することができ、この壁構造材自体でもって建造物の外壁、内壁の同時効用をなし、この壁構造材のみを使用して壁を建造した場合、利用者の居住性の向上を図ることができる。
上述した壁建造方法によれば、上述した居住性の向上を図ることができる壁構造材２Ａ乃至２Ｄを使用して、建造物の外壁、内壁の同時効用をなし、全体として構成材料が少なくて、さほどの熟練度を必要とせず、施工期間の短縮及び人件費の低減が可能であり、均質で建造コストの低廉化を実現することができる建造物１０を提供することが可能となる。
また、前記壁構造材２Ａ乃至２Ｄにより建造物１０の外壁、内壁を合成樹脂製等を全く使用せずに、しかも、従来の建築の如く柱、梁等を使用して内部の骨組構造を構築するような煩雑な手間もなく、一挙に構築でき、木材の断熱性、遮音性、吸湿性という特性とあいまって環境に優しい建造物１０を建造できる。
上述した例では、家屋風の建造物１０を建造する場合について説明したが、この他、学校建物、講堂、体育館、公民館等各種の木造建造物に対して本発明は適用可能である。
【発明の効果】
本発明の壁構造材によれば、建造物の外壁、内壁の同時効用をなし、木材の断熱性、遮音性、吸湿性という特有の作用により、居住性の向上を図ることができる建造物の壁構造材を提供することができる。
また、本発明の壁建造方法によれば、建造物の外壁、内壁の同時効用をなすとともに、全体として構成材料が少なく、施工期間の短縮及び人件費の低減が可能であり、均質で建造コストの低廉化を実現することが可能な壁建造方法を提供することができる。
【図面の簡単な説明】
【図１】本発明の実施の形態に係る壁建造方法の工程を示す斜視図である。
【図２】本発明の実施の形態に係る壁建造方法の工程を示す斜視図である。
【図３】本発明の実施の形態に係る壁建造方法の工程を示す斜視図である。
【図４】本発明の実施の形態に係る壁建造方法により建造した建造物の斜視図である。
【図５】本発明の実施の形態に係る壁建造方法に使用する連結具の一例としてのＬ形金具を示す斜視図である。
【図６】本発明の実施の形態に係る壁構造材の一例を示す斜視図である。
【図７】本発明の実施の形態に係る壁構造材の他例を示す斜視図である。
【図８】本発明の実施の形態に係る壁構造材の更に他例を示す斜視図である。
【図９】本発明の実施の形態に係る壁構造材の更に他例を示す斜視図である。
【図１０】本発明の実施の形態に係る壁構造材の建造物基礎に対する取り付け例を示す斜視図である。
【図１１】従来の壁建造方法の一例を示す斜視図である。
【符号の説明】
１    建物基礎
２Ａ  壁構造材
２Ｂ  壁構造材
２Ｃ  壁構造材
２Ｄ  壁構造材
３    屋根部
４ａ  窓取り付け用の開口部
４ｂ  窓取り付け用の開口部
４ｃ  窓取り付け用の開口部
５    玄関扉取り付け用の開口部
１０    建造物
１１    板材
１１’  板材
１２    連結材
１９    接着剤接合部
２３    Ｌ形金具
３０    壁構造基材
６０    Ｌ型鋼材
６１    ラグスクリューボルト
６２    建造物の１階の床部
６３    金具材
６４    ラグスクリューボルト
６５    鋼材パイプ
６６    横穴
６７    鋼材パイプ
６８    小穴
６９    クサビ
７０    溝部
【図１】
0004019166.tif 000002
【図２】
0004019166.tif 000003
【図３】
0004019166.tif 000004
【図４】
0004019166.tif 000005
【図５】
0004019166.tif 000006
【図６】
0004019166.tif 000007
【図７】
0004019166.tif 000008
【図８】
0004019166.tif 000009
【図９】
0004019166.tif 000010
【図１０】
0004019166.tif 000011
【図１１】
0004019166.tif 000012